(57)【要約】【課題】折り戸の下枠の溝幅を狭くできて、かつ、下枠の溝の清掃がしやすく通行安全性の高い折り戸用下枠の提供を目的とする。【解決手段】下枠が、下枠本体と、補助部材とを備え、下枠本体上面に障子案内用レールと、障子案内用レールの室外側（浴室側）に被係止突部を有し、補助部材は上面部と、上面部から垂下する垂下片と、垂下片より室外側で上面部より下方に突出する係止部を有し、垂下片を下枠上面に当接し、係止部を下枠の被係止突部に係止し、補助部材は、戸先側補助部材と中間部補助部材と吊り元側補助部材とからなり、戸先側補助部材が少なくとも障子全開時に下枠本体に対し着脱自在であり、中間部補助部材の両端部には、戸先側補助部材及び吊り元側補助部材の端部がそれぞれ上から重なる重合部を有している。【選択図】  図１
2005240470.tif 000002
【特許請求の範囲】
【請求項１】
下枠本体と、下枠本体の室外側に設けた補助部材とを備え、
下枠本体は、上面に障子案内用レールと、障子案内用レールの室外側に被係止突部とを有し、
補助部材は、上面部と、上面部から垂下する垂下片と、垂下片より室外側で上面部より下方に突出する係止部を有するとともに、
垂下片を下枠本体上面に当接し、係止部を下枠本体の被係止突部に係止してあり、
補助部材は、戸先側補助部材と中間部補助部材と吊り元側補助部材とからなり、
戸先側補助部材は、少なくとも障子全開時に下枠本体に対し着脱自在であり、
中間部補助部材の両端部は、戸先側補助部材及び吊り元側補助部材の端部がそれぞれ上から重なる重合部を有していることを特徴とする折り戸用下枠。
【発明の詳細な説明】
【技術分野】
【０００１】
本発明は折り戸用下枠に関する。
【背景技術】
【０００２】
浴室の出入口等には、折り戸を採用している。
下枠上面には、障子案内レールと、排水溝を形成している場合が多い。
下枠のバリアフリー化を図るために、下枠の溝幅を狭くすると溝部に溜まったゴミを取り除くことが困難になる。
そこで、特開２００１−２１４６６９号公報に記載の折り戸には下枠の浴室側に傾斜部材を着脱自在に取り付けている。
しかし、傾斜部材を折り戸吊り元側のヒンジ等に干渉することなく、取り外せるようにすると、下枠の溝幅を充分に狭くすることができない。
特開平０９−８８４３４号公報には、下枠のカバー部材を複数に分割し、障子を開けて、分割した下枠カバーを順次取り外す技術を開示している。
しかし、下枠カバーを複数に分割しただけでは、分割部分のつなぎ目に隙間ができないように精度高く加工するのが困難であり、足を乗せた際に下枠カバーの端部が浮く恐れが高く、また、その端部エッジにて怪我をする危険性もあった。
また、下枠の溝を狭い溝にすると水を溜める容量が少なくなり、スムーズに排水するためには排水穴を多く設ける必要があったが、それでは加工費が増大する上に狭い溝部に加工を行うこと自体非常に困難であった。
【０００３】
【特許文献１】特開平０９−８８４３４号公報
【特許文献２】特開２００１−２１４６６９号公報
【発明の開示】
【発明が解決しようとする課題】
【０００４】
本発明は、折り戸の下枠の溝幅を狭くできて、かつ、下枠の溝の清掃がしやすく通行安全性の高い折り戸用下枠の提供を目的とする。
【課題を解決するための手段】
【０００５】
上記目的を達成するために、本発明に係る折り戸用下枠は、下枠本体と、下枠本体の室外側に設けた補助部材とを備え、下枠本体は、上面に障子案内用レールと、障子案内用レールの室外側に被係止突部を有し、補助部材は、上面部と、上面部から垂下する垂下片と、垂下片より室外側で上面部より下方に突出する係止部を有するとともに、垂下片を下枠本体上面に当接し、係止部を下枠本体の被係止突部に係止してあり、補助部材は、戸先側補助部材と中間部補助部材と吊り元側補助部材とからなり、戸先側補助部材は、少なくとも障子全開時に下枠本体に対し着脱自在であり、中間部補助部材の両端部は、戸先側補助部材及び吊り元側補助部材の端部がそれぞれ上から重なる重合部を有していることを特徴とする。
ここで室外側とは、水等がかかる恐れがある側をいい、折り戸を浴室の出入口に採用した場合には、室外側とは浴室側をいう。
また、戸先側補助部材は、少なくとも障子全開時に下枠本体に対し着脱自在となっていてとは、戸先側補助部材が、折り戸の障子を開くと、障子に干渉せずに、その開口部から取り外しできる長さであることをいい、少なくとも障子全開時に着脱自在になれば良いという趣旨である。
【０００６】
補助部材を戸先側と中間部と吊り元側とに分割したのは補助部材を一体にすると、下枠本体から補助部材を取り外そうとすると吊り元側のヒンジ等が障害になり、障子を一旦取り外さなければならなくなるからであり、このように分割したことにより、折り戸を全開した状態で少なくとも戸先側補助部材を外すことができれば、順次、中間部補助部材及び吊り元側補助部材を取り外して溝を清掃出来るようになる。
また、中間部補助部材をアルミ押出形材、ステンレス板材等の金属製にした場合に、切断加工により中間部補助部材の両端がエッジ状になりやすい。
この場合に、戸先側補助部材及び吊り元側補助部材を樹脂製にすると、これらを中間部補助部材の両端部を上から覆うように下枠本体に取り付けるので、中間部補助部材の両端のエッジが隠れる。
従って、戸先側補助部材及び吊り元側補助部材は樹脂製が良い。
なお、戸先側補助部材及び吊り元側補助部材は射出成形にて形成することが可能であり、垂下片に排水用の開口部（切り欠き）を設けてもよい。
【発明の効果】
【０００７】
本発明においては、下枠のバリアフリー化を目的に下枠の溝部の幅が狭くなるように下枠本体に取り付けた補助部材を３分割等に分割し、障子を開けば、障子を取り外すことなく戸先側補助部材を外すことができ、それにより中間部補助部材等も外すことができ、溝部に溜まったゴミの除去等清掃がしやすいだけでなく、中間部補助部材の端末部に戸先側補助部材及び吊り元側補助部材の端部が上から重なるように、戸先側補助部材及び吊り元側補助部材を取り付けたので、人が出入りする中間部補助部材のガタ付きを防止でき、中間部補助部材の端面が隠れているので人の怪我等を防止できて安全性が高い。
さらには、中間部補助部材の端末部に戸先側補助部材及び吊り元側補助部材の端部が上から重なるように、戸先側補助部材及び吊り元側補助部材を取り付けることにより、中間部補助部材の切断長さバラツキをその重合部で吸収できる。
なお、戸先側補助部材及び吊り元側補助部材を樹脂製にすると、中間補助部材が金属製である場合に中間補助部材の切断加工端部が樹脂製の補助部材に覆われるので、より、通行安全性が高い。
【発明を実施するための最良の形態】
【０００８】
図１は、本発明に係る折戸用下枠を浴室の出入口に適用した場合の横断面図を示す。
図１（ａ）は、折り戸（障子）１０が閉じた状態を示し、図１（ｂ）は折り戸（障子）１０が開いた状態を示す。
図２には折り戸１０が閉じた状態の縦断面図を示す。
折り戸（障子）１０は、取手１４を浴室側（室外側）に引くと、折り曲げ部１２にて折り曲がりながら下枠本体２０の上面に有する障子案内用レール２１を、図４に示すようにスライダー１７がスライドして開閉する。
サッシ枠は図１及び図２に示すように、下枠Ａと上枠６３と戸先側縦枠６１と吊り元側縦枠６２にて開口部を形成している。
この開口部に折り戸１０を設置する。
折り戸１０は、戸先側框１３と、曲げ部１２を形成する曲げ部側框（１２ａ、１２ｂ）と、吊り元側框１１と、下框１５と上框１９ａとで障子を形成し、中桟１９ｂ等に取手１４を取り付けている。
【０００９】
下枠Ａは、下枠本体２０と戸先側補助部材４０と中間部補助部材３０と吊り元側補助部材５０とで構成している。
図５に下枠Ａの構成部品を示し、下枠本体２０の浴室側に補助部材（３０、４０、５０）を着脱自在に取り付ける。
補助部材は、戸先側補助部材４０と中間部補助部材３０と吊り元側補助部材５０の３分割になっている。
これにより、図１に示すように折り戸が開いた状態で折り戸の吊り元側のヒンジ等に干渉することなく、戸先側補助部材を取り外すことができ、また、中間部補助部材３０及び吊り元側補助部材５０を取り外して下枠の溝部の清掃ができる。
下枠本体２０の上面には障子案内用レール２１を有し、排水孔２８を設けている。
また、浴室側の立ち上がり片２２にも排水孔２７を設けている。
【００１０】
図５に示すように、アルミ押出形材等の金属製の中間部補助部材３０の戸先側端部には重ね部３６（Ｒ１）を形成し、射出成形等で成形した樹脂製の戸先側補助部材４０に形成する重ね部４６（Ｒ２）で上から中間部補助部材３０の端部を押えるようにして下枠本体２０に嵌着する。
また、中間部補助部材３０の吊り元側端部には重ね部３６（Ｌ１）を形成し、樹脂製の吊り元側補助部材５０に形成する重ね部５６（Ｌ２）で上から中間部補助部材３０の端部を押えるようにして下枠本体２０に嵌着する。
これにより、中間部補助部材の浮き上がりを防止している。
中間部補助部材の長さは、その両端の重ね部（Ｌ１、Ｒ１）を通行人が踏みにくいように長くするのが良い。
例えば、中間部補助部材が折り戸の両側の障子にまたがり、戸先側補助部材及び吊り元側補助部材の長さを短くする。
【００１１】
また、中間部補助部材をアルミ押出材やステンレス等の金属製とした場合に両端部はエッジ状になりやすく、人が通る際に足等を傷付ける危険性があったが、本発明においてはその両端部を樹脂製の戸先側補助部材と吊り元側補助部材で覆うように重ねたので、人がエッジでケガする危険性も無くなっている。
【００１２】
次に、補助部材と下枠本体との取付構造を図３、図４に基づいて説明する。
図３は中間部補助部材３０の部分の断面図を示し、図４は戸先側補助部材４０の部分の断面図を示す。
なお、吊り元側補助部材５０の下枠本体への取り付けは、戸先側補助部材と同じなので説明を省略する。
【００１３】
中間部補助部材３０の取付構造を図３にて説明する。
下枠本体２０の上面に障子案内用レール２１を形成するとともに、下枠本体２０には浴室側から脱衣室側に水が浸入してこないように溝部２５、２６等を形成している。
この溝幅が狭い程、バリアフリー性が高くなるが、溝部の容量が小さくなり、止水が不充分になる危険性がある。
そこで、溝幅を広く確保しつつ、バリアフリー化を図るべく浴室側の溝部（障子案内レール２１より浴室側）２５に着脱自在の中間部補助部材３０を取り付けたものである。
【００１４】
また、下枠本体２０の脱衣室側の溝部２６には、折り戸の下框１５と下枠本体２０の隙間から脱衣室側に水が浸入しないように、止水片２４を取り付けている。
止水片２４は、下枠本体に形成した凹部２３に止水片取付部２４ａを嵌入するように取り付けていて、折り戸が開いたときの止水片２４の位置が（ｂ）で人が足等を乗せると（ｃ）の状態になる。
また折り戸が閉じた際には（ａ）の位置にくる。
【００１５】
図３に示すように、下枠本体２０の浴室側には障子案内レール２１と溝部２５を形成するように立ち上がり片２２を形成し、この立ち上がり片の上部に被係止突部２２ａを形成している。
中間部補助部材３０は上面部３１から垂下片３５を下方に垂下し、垂下片の下端を下枠本体の上面２５ａに当接している。
この垂下片３５より浴室側に上面部３１より下方に突出する係止部３２を形成している。
中間部補助部材の係止部３２の先部には、係止突起３２ａを形成し、係止部３２と係止片３４とで、下枠本体側に形成した被係止突部２２ａを呑み込む凹部３３を形成している。
一方、下枠本体の浴室側の立ち上がり片２２の被係止突部２２ａには、被係止段差部２２ｂを形成している。
これにより、中間部補助部材側の係止突起３２ａと被係止段差部２２ｂの係合は係止部３２の弾性を利用して着脱自在になっている。
中間部補助部材３０の上面部３１に当たるように止水部材１６を下框１５に取り付けている。
【００１６】
図４に戸先側補助部材４０の下枠本体２０への取付例を示す。
戸先側補助部材４０にも垂下片４５が上面部４１より垂下していて垂下片の下端が下枠本体の上面２５ａに当接している。
また、垂下片４５の浴室側に係止部４２が上面部４１より下方に突出している。
なお、下枠本体の浴室側の立ち上がり片の被係止突部２２ａを呑み込む凹部４３を形成し、係止片４４と係止部突起４２ａを形成している。
また、下枠本体２０の浴室側の立ち上がり片２２には排水孔２７、障子案内用レール２１には排水孔２８を形成している。
これにより、止水部材１６と補助部材の上面部の間から通過して溝部２５、２６に流れ込んだ水は排水口２８、２７を経由して浴室側に流れる。
【００１７】
図６及び図７に戸先側補助部材４０付近の部分拡大図を示す。
戸先側補助部材４０は、射出成形等で成形した樹脂製で垂下片４５と係止部４２と係止片４４とを形成している。
なお、係止部４２と係止片４４で下枠本体の被係止突部２２ａを呑み込むようになっているが、係止部４２が位置する部分の係止片４４を切り欠いて開口部４８を形成しているので、この戸先側補助部材の着脱が容易になっている。
【００１８】
図７に示すように、戸先側補助部材４０の重ね部４６（Ｒ２）にて中間部補助部材の端部を押えるようにするとともに、下枠本体の排水孔２８、２７から水を排水するように、図６に示すように垂下片４５を切り欠いて排水口４７を形成している。
【図面の簡単な説明】
【００１９】
【図１】本発明に係る折り戸用下枠を適用した折り戸の横断面図を示す。
【図２】折り戸の縦断面図を示す。
【図３】中間部補助部材部分の下枠付近断面図を示す。
【図４】戸先側補助部材部分の下枠付近断面図を示す。
【図５】補助部材の分割例を示す。
【図６】戸先側補助部材付近の拡大図を示す。
【図７】戸先側補助部材を下枠本体に取り付けた状態を示す。
【符号の説明】
【００２０】
１０    折り戸（障子）
１１    折り戸の吊り元側框
１２    折り戸の折り曲げ部
１３    折り戸の戸先側框
１４    折り戸の取手
１５    折り戸の下框
Ａ      下枠
２０    下枠本体
２１    障子案内用レール
２２    下枠本体の浴室側の立ち上がり片
２２ａ  下枠本体の被係止突部
２５    下枠本体の溝部
２５ａ  下枠本体の上面
３０    中間部補助部材
３１    中間部補助部材の上面部
３２    中間部補助部材の係止部
３２ａ  中間部補助部材の係止部突起
３５    中間部補助部材の垂下片
４０    戸先側補助部材
４１    戸先側補助部材の上面部
４２    戸先側補助部材の係止部
４２ａ  戸先側補助部材の係止部突起
４５    戸先側補助部材の垂下片
５０    吊り元側補助部材
【図１】
2005240470.tif 000003
【図２】
2005240470.tif 000004
【図３】
2005240470.tif 000005
【図４】
2005240470.tif 000006
【図５】
2005240470.tif 000007
【図６】
2005240470.tif 000008
【図７】
2005240470.tif 000009